(57)【要約】【課題】所望の地点の詳細な気象情報を地図に重ねて表示することができる地図表示装置を提供する。【解決手段】所定の縮尺率未満の地図２０を押圧すると、押圧された地図領域が拡大表示され、押圧された地図領域の詳細地図５０が表示モニタ１６の表示画面に表示される。詳細地図５０を押圧すると、押圧した地点が表示画面の中央に表示されるように、詳細地図５０がスクロールされる。【選択図】図５
2008185614.tif 000002
【特許請求の範囲】
【請求項１】
タッチパネルを設けた表示モニタと、
前記表示モニタに地図を表示する表示制御手段と、
気象情報を受信する気象情報受信手段とを備え、
前記表示制御手段は、前記気象情報受信手段によって取得した前記気象情報を前記地図と重ねて表示するとともに、前記表示モニタに表示された地図が押圧されたとき、前記地図の縮尺率が所定未満の場合、前記地図の詳細地図を表示し、前記地図の縮尺率が所定以上の場合、前記地図をスクロールすることを特徴とする地図表示装置。
【請求項２】
請求項１に記載の地図表示装置において、
前記表示制御手段は、前記表示モニタに表示された地図が押圧されたとき、前記地図の縮尺率が所定未満の場合、押圧された位置に対応する地図領域の詳細地図を表示することを特徴とする地図表示装置。
【請求項３】
請求項１に記載の地図表示装置において、
前記表示制御手段は、前記表示モニタに表示された地図が押圧されたとき、前記地図の縮尺率が所定未満の場合、押圧された位置を前記表示モニタの表示画面の中心に表示した前記地図の詳細地図を表示することを特徴とする地図表示装置。
【請求項４】
請求項１乃至３のいずれか１項に記載の地図表示装置において、
前記気象情報は、詳細地図に重ねて表示するための詳細気象情報を有することを特徴とする地図表示装置。
【請求項５】
請求項１乃至４のいずれか１項に記載の地図表示装置において、
前記表示制御手段は、前記表示モニタに前記地図とともにボタンを表示し、
前記ボタンが押圧されると、前記ボタンに定義した処理を実行する実行手段を備え、
前記表示制御手段は、前記ボタンが表示されてから所定時間経過するまでに前記表示モニタの表示画面が押圧されないと、前記ボタンを消去することを特徴とする地図表示装置。
【請求項６】
請求項１乃至５のいずれか１項に記載の地図表示装置において、
前記表示モニタに表示される地図の縮尺率の段階的な変更を指示する指示手段を備え、
気象情報を地図に重ねて表示する場合の前記指示手段によって指示できる地図の縮尺率の段階数は、気象情報を地図に重ねて表示しない場合の地図の縮尺率の段階数より少ないことを特徴とする地図表示装置。
【請求項７】
表示モニタと、
前記表示モニタに地図を表示する表示制御手段と、
気象情報を受信する気象情報受信手段と、
前記表示モニタに表示される地図の縮尺率の段階的な変更を指示する指示手段とを備え、
前記気象情報受信手段によって取得した前記気象情報を地図に重ねて表示する場合の前記指示手段によって指示できる地図の縮尺率の段階数は、気象情報を地図に重ねて表示しない場合の地図の縮尺率の段階数より少ないことを特徴とする地図表示装置。
【発明の詳細な説明】
【技術分野】
【０００１】
本発明は、気象情報を地図に重ねて表示する地図表示装置に関する。
【背景技術】
【０００２】
地図画面が所定レベル以上の広域表示になると、地図画面に気象情報を重畳表示するナビゲーション装置が従来技術として知られている（たとえば、特許文献１）。このナビゲーション装置では、ディスプレイに表示されたスケールバーが表示され、スケールバーの広域側に触れると、画面上の地図の縮尺率が小さくなり、スケールバーの詳細側に触れると、画面上の地図の縮尺率は大きくなる。
【特許文献１】特開２０００−２５５０号公報
【発明の開示】
【発明が解決しようとする課題】
【０００３】
特許文献１に記載されているような従来のナビゲーション装置では、画面上の地図の所望の地点を選択して拡大表示することはできない。このため、所望の地点の気象情報を詳細に表示できないという問題点がある。
【課題を解決するための手段】
【０００４】
（１）請求項１の発明の地図表示装置は、タッチパネルを設けた表示モニタと、表示モニタに地図を表示する表示制御手段と、気象情報を受信する気象情報受信手段とを備え、表示制御手段は、気象情報受信手段によって取得した気象情報を地図と重ねて表示するとともに、表示モニタに表示された地図が押圧されたとき、地図の縮尺率が所定未満の場合、地図の詳細地図を表示し、地図の縮尺率が所定以上の場合、地図をスクロールすることを特徴とする。
（２）請求項２の発明は、請求項１に記載の地図表示装置において、表示制御手段は、表示モニタに表示された地図が押圧されたとき、地図の縮尺率が所定未満の場合、押圧された位置に対応する地図領域の詳細地図を表示することを特徴とする。
（３）請求項３の発明は、請求項１に記載の地図表示装置において、表示制御手段は、表示モニタに表示された地図が押圧されたとき、地図の縮尺率が所定未満の場合、押圧された位置を表示モニタの表示画面の中心に表示した地図の詳細地図を表示することを特徴とする。
（４）請求項４の発明は、請求項１乃至３のいずれか１項に記載の地図表示装置において、気象情報は、詳細地図に重ねて表示するための詳細気象情報を有することを特徴とする。
（５）請求項５の発明は、請求項１乃至４のいずれか１項に記載の地図表示装置において、表示制御手段は、表示モニタに地図とともにボタンを表示し、ボタンが押圧されると、ボタンに定義した処理を実行する実行手段を備え、表示制御手段は、ボタンが表示されてから所定時間経過するまでに表示モニタの表示画面が押圧されないと、ボタンを消去することを特徴とする。
（６）請求項６の発明は、請求項１乃至５のいずれか１項に記載の地図表示装置において、表示モニタに表示される地図の縮尺率の段階的な変更を指示する指示手段を備え、気象情報を地図に重ねて表示する場合の指示手段によって指示できる地図の縮尺率の段階数は、気象情報を地図に重ねて表示しない場合の地図の縮尺率の段階数より少ないことを特徴とする。
（７）請求項７の発明の地図表示装置は、表示モニタと、表示モニタに地図を表示する表示制御手段と、気象情報を受信する気象情報受信手段と、表示モニタに表示される地図の縮尺率の段階的な変更を指示する指示手段とを備え、気象情報受信手段によって取得した気象情報を地図に重ねて表示する場合の指示手段によって指示できる地図の縮尺率の段階数は、気象情報を地図に重ねて表示しない場合の地図の縮尺率の段階数より少ないことを特徴とする。
【発明の効果】
【０００５】
本発明によれば、気象情報が重畳表示された地図のうち、所定の縮尺率未満の地図が押圧すると、押圧された地図の詳細地図を表示し、所定の縮尺率以上の地図が押圧されると、押圧された地図をスクロールする。したがって、所望の地点の気象情報を地図に重ねて詳細に表示することができる。
【発明を実施するための最良の形態】
【０００６】
図１は、本発明の実施形態によるナビゲーション装置１を示す。このナビゲーション装置１は、衛星ラジオ放送による気象情報を受信し、その気象情報を地図に重ねて表示モニタ１６に表示することができる。既知の衛星ラジオ放送として、たとえば、シリウスサテライトラジオなどがある。ナビゲーション装置１は、制御回路１１、ＲＯＭ１２、ＲＡＭ１３、現在地検出装置１４、画像メモリ１５、表示モニタ１６、スピーカ１７、入力装置１８、タッチパネル１９、タッチパネルコントロール部１１０、衛星ラジオ受信部１１１、受信メモリ１１２およびディスクドライブ１１３を有している。ディスクドライブ１１３には、地図データが記憶されたＤＶＤ−ＲＯＭ１１４が装填されている。
【０００７】
制御回路１１は、マイクロプロセッサ及びその周辺回路からなり、ＲＡＭ１３を作業エリアとしてＲＯＭ１２に格納された制御プログラムを実行して各種の制御を行う。この制御回路１１がＤＶＤ−ＲＯＭ１１４に記憶された地図データに基づいて所定の経路探索処理を行うと、その処理結果が推奨経路として表示モニタ１６に表示される。また、制御回路１１は、地図などを表示するための画像データを生成する。地図に灰色を重ねて描画することによって、地図に灰色をブレンド（配合）し、地図を目立たないように表示することができる。制御回路１１には、タイマ１１ａが内蔵されており、時間を計測することができる。
【０００８】
現在地検出装置１４は車両の現在地を検出する装置である。現在地検出装置１４は、振動ジャイロ１４ａ、車速センサ１４ｂ、ＧＰＳ（Global Positioning System）センサ１４ｃなどからなる。振動ジャイロ１４ａは、車両の進行方向を検出し、車速センサ１４ｂは、車速を検出し、ＧＰＳセンサ１４ｃはＧＰＳ衛星からのＧＰＳ信号を検出する。ナビゲーション装置１は、この現在地検出装置１４により検出された車両の現在地に基づいて、地図の表示範囲や経路探索開始点などを決定するとともに、地図上に自車位置マークとしてその現在地を表示する。
【０００９】
画像メモリ１５は、表示モニタ１６に表示するための画像データを格納する。この画像データは道路地図描画用データや各種の図形データからなり、それらはＤＶＤ−ＲＯＭ１１４に記憶された地図データに基づいて、適宜生成される。ナビゲーション装置１は、このようにして生成された画像データを用いることによって地図表示などを行うことができる。
【００１０】
ディスクドライブ１１３は、ＤＶＤ−ＲＯＭ１１４から地図データを読み出す。地図データは、地図表示用データ、経路探索用データなどを含む。地図表示用データおよび経路探索用データには、地図データに格納されている道路のリンク情報およびノード情報が含まれている。地図表示用データは、広域から詳細まで７段階の縮尺の地図データを有し、ユーザの要求などにしたがって、表示地図の縮尺を７段階に変更することができる。なお、ＤＶＤ−ＲＯＭ１１４以外の他の記録メディア、たとえばＣＤ−ＲＯＭやハードディスクなどより地図データを読み出してもよい。
【００１１】
表示モニタ１６は、地図データなどの各種情報に基づいて、自車位置付近の地図などの各種情報を画面表示としてユーザに提供する。スピーカ１７は、各種入力操作をユーザに指示したり、経路誘導したりするための音声を出力する。入力装置１８は、ユーザが各種コマンドの設定などするための操作キーを有し、操作パネル上のボタンスイッチやパネル周囲のハードスイッチなどによって実現される。ユーザは、表示モニタ１６の表示画面の指示やスピーカ１７からの音声指示にしたがって入力装置１８を手動で操作することにより、目的地を設定する。また、入力装置１８を操作することによって、衛星ラジオ放送を選局することができる。
【００１２】
目的地がユーザにより設定されると、ナビゲーション装置１は現在地検出装置１４により検出された現在地を出発地として目的地までの経路演算を所定のアルゴリズムに基づいて行う。このようにして求められた経路（以下、推奨経路という）は、表示形態、たとえば表示色などを変えることによって、ほかの道路とは区別して画面表示される。これにより、ユーザは地図上の推奨経路を画面上で認識することができる。また、ナビゲーション装置１は、推奨経路にしたがって車両が走行できるように、ユーザに対して画面や音声などによる進行方向指示を行い、車両を経路誘導する。
【００１３】
タッチパネル１９は、表示モニタ１５の表面に積層される透明のタッチスイッチであり、表示モニタ１６に表示される画像はタッチパネル１９を通して表示される。したがって、表示モニタ１６の表示画面を押圧するとタッチパネル１９が押圧される。タッチパネル１９は、タッチパネル１９上の操作位置に応じた信号をタッチパネルコントロール部１１０に送出し、タッチパネルコントロール部１１０はタッチパネル１９の押圧位置を算出する。
【００１４】
表示モニタ１６に表示された各種ボタンや表示メニューなどを指などで押圧するとタッチパネル１９は押圧され、各種ボタンや表示メニューに定義された処理が実行される。また、表示モニタ１６に表示された地図を押圧すると、タッチパネル１９は押圧され、地図を拡大表示したり、地図をスクロールしたりする処理が実行される。
【００１５】
衛星ラジオ受信部１１１は、図示しない衛星ラジオ局から人工衛星を介して放送される衛星ラジオ放送を受信し、制御回路１１に出力する。受信した衛星ラジオ放送は、スピーカ１７より出力される。また、衛星ラジオ受信部１１１によって受信された衛星ラジオ放送の気象情報は受信メモリ１１１に記憶される。衛星ラジオ放送の気象情報には、広域地図が表示されたときに表示する気象情報のほかに、詳細地図が表示されたときに表示する詳細な気象情報が含まれている。
【００１６】
衛星ラジオ放送の気象情報は、天気図の情報や、ハリケーンなどの嵐の情報、気象レーダによる雨量分布の情報、各観測地点における風向きや風力の情報などを有する。天気図の情報として、たとえば、高気圧や低気圧の位置（緯度・経度）の情報や温暖前線や寒冷前線の位置情報などが含まれる。嵐の情報には、ハリケーンの位置や竜巻の位置の情報などが含まれる。雨量分布の情報には、雨が降っている位置とその位置における雨量の情報などが含まれる。
【００１７】
受信メモリ１１１は、フラッシュメモリやハードディスクなどの書き換え可能な不揮発性記録媒体によって構成され、衛星ラジオ受信部１１０によって受信された気象情報を記憶する。
【００１８】
次に、本発明の実施形態における気象情報を表示した地図の表示処理について、図２〜図９を参照して説明する。図２（ａ）は、不図示のメニューから気象情報表示を選択すると表示される表示モニタ１６の表示画面を説明するための図である。図２（ａ）に示すように、地図２０は１６個の地図領域に分割線で分割されている。地図領域を識別できるようにするため、図２（ｂ）に示すように、それぞれの地図領域に符号２０ａ〜２０ｐを付す。
【００１９】
図２（ａ）に示すように、地図領域２０ａ〜２０ｐのうちの衛星ラジオ放送から気象情報を受信した地図領域２０ａ〜２０ｃ，２０ｅ〜２０ｇ，２０ｈ〜２０ｋ，２０ｏ，２０ｐについて、地図に灰色をブレンドして表示する。一方、地図領域２０ａ〜２０ｐのうちの衛星ラジオ放送から気象情報を受信しない地図領域２０ｄ，２０ｌ，２０ｍ，２０ｎについて、地図をそのままの背景色で表示する。
【００２０】
図２（ａ）に示すように、地図２０に重ねて気象情報がアイコンや線図などとして表示される。アイコン２１ａは高気圧を示し、アイコン２１ｂは低気圧を示す。アイコン２１ｃは雹、霰の天気を示し、アイコン２１ｄは竜巻を示す。アイコン２１ｅはハリケーンを示す。また、線図２２ａは温暖前線を示し、線図２２ｂは寒冷前線を示す。領域２３は気象レーダで計測した雨量分布を示す。
【００２１】
図２（ａ）に示すように、地図２０には、各種ボタンが重畳的に表示される。天気図ボタン２４ａは、高気圧および低気圧を示すアイコン２１ａ，２１ｂなどで表される天気図を表示するためのボタンである。嵐ボタン２４ｂは、ハリケーンや竜巻、雹、霰など嵐を表すアイコン２１ｃ〜２１ｅを表示するためのボタンである。レーダボタン２４ｃは、気象レーダで計測した雨量分布を表示するためのボタンである。風ボタン２４ｄは、風向きや風力の情報を表示するためのボタンである。
【００２２】
ブレンドレベル変更ボタン２５ａ，２５ｂは、地図にブレンドする灰色のブレンド度合いを変更するボタンである。ブレンドレベル変更ボタン２５ａを押圧すると、灰色のブレンドの度合いが大きくなり、地図が灰色に近づく。一方、ブレンドレベル変更ボタン２５ｂを押圧すると、灰色のブレンドの度合いが小さくなり、地図が地図本来の背景色に近づく。
【００２３】
ユーザが地図の縮尺率を認識できるようにするため、１０００ｋｍのスケール２６ａが表示される。
【００２４】
地図２０が表示されてから５秒間に表示画面が押圧されないと、図３に示すように、地図２０に重ねて表示されていたボタン２４ａ〜２４ｄ，２５ａ，２５ｂおよびスケール２６ａは消去される。さらに、３秒間表示画面が押圧されないと、図４に示すように地図２０に重ねて表示されていた分割線も消去される。
【００２５】
図５（ａ）に示すように、所定の縮尺率未満の地図２０で分割線が表示されているときに地図２０を押圧すると、図５（ｂ）に示すように、押圧された地図領域２０ｈの詳細地図５０が表示モニタ１６の表示画面に表示される。詳細地図５０には、地図２０には表示されていなかった気象レーダで計測した雨量分布２３が詳細な気象情報として表示される。詳細地図５０に重ねて、天気図ボタン２４ａ、嵐ボタン２４ｂ、レーダボタン２４ｃ、風ボタン２４ｄ、ブレンドレベル変更ボタン２５ａ，２５ｂ、１００ｋｍのスケール２６ｂおよび縮尺率変更ボタン２７ａ，２７ｂが表示される。
【００２６】
縮尺率変更ボタン２７ａは、詳細地図５０の縮尺率を小さくして、図２の地図２０を表示するためのボタンである。縮尺率変更ボタン２７ｂは、詳細地図５０の縮尺率よりさらに縮尺率の大きな詳細地図を表示するためのボタンである。この詳細地図の詳細については後述する。
【００２７】
図４に示すような分割線が消去された地図２０が押圧されると、図２の地図２０に表示が戻る。つまり、ボタン２４ａ〜２４ｄ，２５ａ，２５ｂ、スケール２６ａおよび分割線が地図２０に再び表示される。分割線が消去された地図２０が押圧されても詳細地図５０は表示されない。
【００２８】
詳細地図５０が表示されてから表示画面が押圧されずに５秒間経過すると、図６に示すように、詳細地図５０から天気図ボタン２４ａ、嵐ボタン２４ｂ、レーダボタン２４ｃ、風ボタン２４ｄ、ブレンドレベル変更ボタン２５ａ，２５ｂ、１００ｋｍのスケール２６ｂおよび縮尺率変更ボタン２７ａ，２７ｂが消去される。しかし、天気ボタン２４ａなどが消去された詳細地図５０を押圧すると、天気図ボタン２４ａ、嵐ボタン２４ｂ、レーダボタン２４ｃ、風ボタン２４ｄ、ブレンドレベル変更ボタン２５ａ，２５ｂ、１００ｋｍのスケール２６ｂおよび縮尺率変更ボタン２７ａ，２７ｂが再び表示される。
【００２９】
図７は、図５（ｂ）の縮尺率変更ボタン２７ｂが押圧されると表示される詳細地図７０を説明するための図である。詳細地図７０は、詳細地図５０を拡大した地図である。詳細地図７０には、気象レーダで計測した雨量分布２３と風向きおよび風力２８とが詳細な気象情報として表示される。また、詳細地図７０には、天気図ボタン２４ａ、嵐ボタン２４ｂ、レーダボタン２４ｃ、風ボタン２４ｄ、ブレンドレベル変更ボタン２５ａ，２５ｂ、１０ｋｍのスケール２６ｃおよび縮尺率変更ボタン２７ａ，２７ｃが表示される。縮尺率変更ボタン２７ｃは、詳細地図７０の縮尺率を小さくして図５（ｂ）の詳細地図５０を表示するためのボタンである。
【００３０】
詳細地図７０が表示されてから表示画面が押圧されずに５秒間経過すると、図８に示すように、詳細地図５０から天気図ボタン２４ａ、嵐ボタン２４ｂ、レーダボタン２４ｃ、風ボタン２４ｄ、ブレンドレベル変更ボタン２５ａ，２５ｂ、１０ｋｍのスケール２６ｃおよび縮尺率変更ボタン２７ａ，２７ｃが消去される。しかし、天気ボタン２４ａなどが消去された詳細地図７０を押圧すると、天気図ボタン２４ａ、嵐ボタン２４ｂ、レーダボタン２４ｃ、風ボタン２４ｄ、ブレンドレベル変更ボタン２５ａ，２５ｂ、１０ｋｍのスケール２６ｃおよび縮尺率変更ボタン２７ａ，２７ｃが再び表示される。
【００３１】
ボタン２４ａ〜２４ｄ，２５ａ，２５ｂ，２７ａ〜２７ｃやスケール２６ｂ，２６ｃが表示されている詳細地図５０，７０を押圧すると、押圧した地点が表示画面の中央に表示されるように、詳細地図５０，７０がスクロールされる。たとえば、図９（ａ）に示すように、詳細地図７０の地点７１を押圧すると、詳細地図７０がスクロールされ、図９（ｂ）に示すように、詳細地図７０の押圧された地点７１が表示画面の中央に表示される。
【００３２】
次に、本発明の実施形態における気象情報を表示した地図の表示処理について図１０〜図１２のフローチャートを参照して説明する。図１０〜図１２の処理は、不図示のメニューから気象情報表示が選択されるとスタートするプログラムにより、制御回路１１において実行される。
【００３３】
ステップＳ１００１では、衛星ラジオ受信部１１１によって受信した気象情報に基づいて、気象情報を重畳表示した地図２０を表示モニタ１６に表示する。ステップＳ１００２では、ボタン２４ａ〜２４ｄ，２５ａ，２５ｂ、スケール２６ａおよび分割線を地図２０に重ねて表示する。
【００３４】
ステップＳ１００３では、タイマ１１ａをスタートする。ステップＳ１００４では、タッチパネル１９から出力される信号およびタッチパネルコントロール部１１０において算出された押圧位置に基づいて、地図２０が押圧されたか否かを判定する。地図２０が押圧された場合はステップＳ１００４が肯定判定され、図１１のステップＳ１１０１へ進む。地図２０が押圧されていない場合はステップＳ１００４が否定判定され、ステップＳ１００５へ進む。ステップＳ１００５では、タイマ１１ａが計測している時間が５秒を経過したか否かを判定する。５秒を経過した場合はステップＳ１００５が肯定判定され、ステップＳ１００６へ進む。５秒を経過していない場合はステップＳ１００５が否定判定され、ステップＳ１００４へ戻る。ステップＳ１００６では、表示モニタ１６の表示画面からボタン２４ａ〜２４ｄ，２５ａ，２５ｂおよびスケール２６ａを消去する。ステップＳ１００７では、タイマ１１ａをリセットする。
【００３５】
ステップＳ１００８では、タイマ１１ａをスタートする。ステップＳ１００９では、地図２０が押圧されたか否かを判定する。地図２０が押圧された場合はステップＳ１００９が肯定判定され、図１１のステップＳ１１０１へ進む。地図２０が押圧されていない場合はステップＳ１００９が否定判定され、ステップＳ１０１０へ進む。ステップＳ１０１０では、タイマ１１ａが計測している時間が３秒を経過したか否かを判定する。３秒を経過した場合はステップＳ１０１０が肯定判定され、ステップＳ１０１１へ進む。３秒を経過していない場合はステップＳ１０１０が否定判定され、ステップＳ１００９に戻る。ステップＳ１０１１では、タイマ１１ａをリセットする。
【００３６】
ステップＳ１０１２では、地図２０に重畳表示されている分割線を消去する。ステップＳ１０１３では、地図２０が押圧されたか否かを判定する。地図２０が押圧された場合はステップＳ１０１３が肯定判定され、ステップＳ１００２に戻る。地図２０が押圧されていない場合はステップＳ１０１３を繰り返す。
【００３７】
図１１のステップＳ１１０１では、詳細な気象情報を重畳表示した詳細地図５０を表示モニタ１６に表示する。詳細地図５０は、押圧された地図領域２０ｈを拡大表示したものである。ステップＳ１１０２では、ボタン２４ａ〜２４ｄ，２５ａ，２５ｂ，２７ａ，２７ｂおよびスケール２６ｂを詳細地図５０に重ねて表示する。
【００３８】
ステップＳ１１０３では、タイマ１１ａをスタートする。ステップＳ１１０４では、詳細地図５０が押圧されたか否かを判定する。詳細地図５０が押圧された場合はステップＳ１１０４が肯定判定され、ステップＳ１１１１へ進む。詳細地図５０が押圧されていない場合はステップＳ１１０４が否定判定され、ステップＳ１１０５へ進む。
【００３９】
ステップＳ１１０５では、縮尺率変更ボタン２７ａが押圧されたか否かを判定する。以下、縮尺率変更ボタン２７ａを１０００ｋｍボタン２７ａと呼ぶ。１０００ｋｍボタン２７ａが押圧された場合はステップＳ１１０５が肯定判定され、図１０のステップＳ１００１に戻る。１０００ｋｍボタン２７ａが押圧されない場合はステップＳ１１０５が否定判定され、ステップＳ１１０６に進む。
【００４０】
ステップＳ１１０６では、縮尺率変更ボタン２７ｂが押圧されたか否かを判定する。以下、縮尺率変更ボタン２７ｂを１０ｋｍボタン２７ｂと呼ぶ。１０ｋｍボタン２７ｂが押圧された場合はステップＳ１１０６が肯定判定され、図１２のステップＳ１２０１へ進む。１０ｋｍボタン２７ｂが押圧されない場合はステップＳ１１０６が否定判定され、ステップＳ１１０７に進む。
【００４１】
ステップＳ１１０７では、タイマ１１ａが計測している時間が５秒を経過したか否かを判定する。５秒を経過した場合はステップＳ１１０７が肯定判定され、ステップＳ１１０８へ進む。５秒を経過していない場合はステップＳ１１０７が否定判定され、ステップＳ１１０４へ戻る。ステップＳ１１０８では、表示モニタ１６の表示画面からボタン２４ａ〜２４ｄ，２５ａ，２５ｂ，２７ａ，２７ｂおよびスケール２６ｂを消去する。ステップＳ１１０９では、タイマ１１ａをリセットする。
【００４２】
ステップＳ１１１０では、詳細地図５０が押圧されたか否かを判定する。詳細地図５０が押圧された場合はステップＳ１１１０が肯定判定され、ステップＳ１１０２に戻る。地図２０が押圧されていない場合はステップＳ１１１０を繰り返す。
【００４３】
ステップＳ１１１１では、押圧された地図上の位置が表示画面の中央に表示されるように詳細地図５０をスクロールする。ステップＳ１１１１では、タイマ１１ａをリセットする。
【００４４】
図１２のステップＳ１２０１では、詳細な気象情報を重畳表示した詳細地図７０を表示モニタ１６に表示する。詳細地図７０は詳細地図５０より縮尺率を大きくし、さらに拡大表示したものである。ステップＳ１２０２では、ボタン２４ａ〜２４ｄ，２５ａ，２５ｂ，２７ａ，２７ｃおよびスケール２６ｃを詳細地図７０に重ねて表示する。
【００４５】
ステップＳ１２０３では、タイマ１１ａをスタートする。ステップＳ１２０４では、詳細地図７０が押圧されたか否かを判定する。詳細地図７０が押圧された場合はステップＳ１２０４が肯定判定され、ステップＳ１２１１へ進む。詳細地図７０が押圧されていない場合はステップＳ１２０４が否定判定され、ステップＳ１２０５へ進む。
【００４６】
ステップＳ１２０５では、１０００ｋｍボタン２７ａが押圧されたか否かを判定する。１０００ｋｍボタン２７ａが押圧された場合はステップＳ１２０５が肯定判定され、図１０のステップＳ１００１に戻る。１０００ｋｍボタン２７ａが押圧されない場合はステップＳ１２０５が否定判定され、ステップＳ１２０６に進む。
【００４７】
ステップＳ１２０６では、縮尺率変更ボタン２７ｃが押圧されたか否かを判定する。以下、縮尺率変更ボタン２７ｃを１００ｋｍボタン２７ｂと呼ぶ。１００ｋｍボタン２７ｃが押圧された場合はステップＳ１２０６が肯定判定され、図１１のステップＳ１１０１へ進む。１００ｋｍボタン２７ｃが押圧されない場合はステップＳ１２０６が否定判定され、ステップＳ１２０７に進む。
【００４８】
ステップＳ１２０７では、タイマ１１ａが計測している時間が５秒を経過したか否かを判定する。５秒を経過した場合はステップＳ１２０７が肯定判定され、ステップＳ１２０８へ進む。５秒を経過していない場合はステップＳ１２０７が否定判定され、ステップＳ１２０４へ戻る。ステップＳ１２０８では、表示モニタ１６の表示画面からボタン２４ａ〜２４ｄ，２５ａ，２５ｂ，２７ａ，２７ｃおよびスケール２６ｃを消去する。ステップＳ１２０９では、タイマ１１ａをリセットする。
【００４９】
ステップＳ１２１０では、詳細地図７０が押圧されたか否かを判定する。詳細地図７０が押圧された場合はステップＳ１２１０が肯定判定され、ステップＳ１２０２に戻る。地図２０が押圧されていない場合はステップＳ１２１０を繰り返す。
【００５０】
ステップＳ１２１１では、押圧された地図上の位置が表示画面の中央に表示されるように詳細地図７０をスクロールする。ステップＳ１２１１では、タイマ１１ａをリセットする。
【００５１】
以上の本発明の実施の形態によるナビゲーション装置１は次のような作用効果を奏する。
（１）気象情報が重畳表示された地図２０，５０，７０のうち、所定の縮尺率未満の地図２０が押圧されると、押圧された地図領域２０ｈが拡大表示され、所定の縮尺率以上の地図５０，７０が押圧されると、押圧された地図５０，７０がスクロールされる。したがって、所望の地点の気象情報を地図に重ねて詳細に表示することができる。
【００５２】
（２）所定の縮尺率未満の地図２０が押圧されると、押圧された地図領域２０ｈを拡大表示するとともに、気象情報の詳細情報があれば、詳細な気象情報も表示するようにした。したがって、所望の地点の詳細な気象情報を地図に重ねて表示することができる。
【００５３】
（３）気象情報が重畳表示された地図２０，５０，７０が表示されてから所定時間経過するまで表示画面が押圧されないと、地図２０，５０，７０に重畳表示されているボタン２４ａ〜２４ｄ，２５ａ，２５ｂ，２７ａ〜２７ｃを消去するようにした。したがって、ボタン２４ａ〜２４ｄ，２５ａ，２５ｂ，２７ａ〜２７ｃを操作する必要がないとき、ユーザはボタン２４ａ〜２４ｄ，２５ａ，２５ｂ，２７ａ〜２７ｃの表示に邪魔されずに気象情報を視認することができる。
【００５４】
（４）ナビゲーション装置１によって表示できる地図の縮尺率の段階数を７段階に設定した場合、気象情報を表示するときの地図の縮尺率の段階数を地図２０、詳細地図５０、詳細地図７０の３段階と少なくした。これにより、気象情報を視認する上で無意味な地図の縮尺率の細かい変更を防止できる。たとえば、地図の縮尺率を２倍、または２分の１に変更できても、地図上に表示される気象情報はあまり変わらないので無意味である。また、局所的な気象情報から大局的な気象情報を見ようとするとき、地図の縮尺率の段階数が多いと、地図の縮尺率変更の操作が煩雑になる。したがって、上述したように気象情報を表示するとき地図の縮尺率の段階数を少なくすると便利である。
【００５５】
以上の実施の形態を次のように変形することができる。
（１）所定の縮尺率未満の地図２０が押圧されると、押圧された地図領域が拡大表示された。しかし、所定の縮尺率未満の地図２０が押圧されると、押圧された地図領域に関係なく、押圧された地図上の位置が表示画面の中心に表示されて拡大表示されるようにしてもよい。この場合も、所望の地点の気象情報を地図に重ねて詳細に表示することができる。
【００５６】
（２）気象情報のアイコン２１ａ〜２１ｅが押圧されると、そのアイコン２１ａ〜２１ｅに係る気象情報の詳細情報がポップアップ画面で表示されるようにしてもよい。たとえば、アイコン２１ｅを押圧すると、ハリケーンの中心気圧や進行方向、進行速度、平均風速などの情報がポップアップ画面で表示されるようにしてもよい。
【００５７】
（３）気象情報を表示するときの地図の縮尺率の段階数は、地図２０、詳細地図５０、詳細地図７０の３段階であったが、ナビゲーション装置１によって表示できる地図の縮尺率の段階数より少なければ、実施形態に限定されない。
【００５８】
以上の説明はあくまで一例であり、発明は、上記の実施形態に何ら限定されるものではない。たとえば、ナビゲーション機能を持たない地図表示可能な電子情報処理にも本発明は適用できる。
【００５９】
特許請求の範囲の要素と実施の形態との対応関係を説明する。
本発明の表示制御手段は制御回路１１に対応し、気象情報受信手段は衛星ラジオ受信部１１１に対応する。実行手段は制御回路１１に対応し、指示手段は制御回路１１、タッチパネル１９およびタッチパネルコントロール部１１０に対応する。なお、以上の説明はあくまで一例であり、発明を解釈する上で、上記の実施形態の構成要素と本発明の構成要素の対応関係になんら限定されるものではない。
【図面の簡単な説明】
【００６０】
【図１】本発明の一実施形態によるナビゲーション装置の構成を示すブロック図である。
【図２】不図示のメニューから気象情報表示を選択すると表示される表示モニタの表示画面を説明するための図である。
【図３】表示画面が押圧されずに、気象情報を重ねて表示した地図が表示モニタに表示されてから５秒間経過したときに表示される表示画面を説明するための図である。
【図４】図３の表示画面が表示されてから、さらに３秒間経過したときに表示される表示画面を説明するための図である。
【図５】所定の縮尺率未満の地図から詳細地図を表示する操作を説明するための図である。
【図６】表示画面が押圧されずに、気象情報を重ねて表示した詳細地図が表示モニタに表示されてから５秒間経過したときに表示される表示画面を説明するための図である。
【図７】図５の詳細地図よりさらに縮尺率の大きな詳細地図を表示したときの表示画面を説明するための図である。
【図８】表示画面が押圧されずに、気象情報を重ねて表示した図７の詳細地図が表示モニタに表示されてから５秒間経過したときに表示される表示画面を説明するための図である。
【図９】詳細地図をスクロールさせるための操作を説明するための図である。
【図１０】本発明の実施形態における気象情報を表示した地図の表示処理を説明するためのフローチャートである。
【図１１】本発明の実施形態における気象情報を表示した地図の表示処理を説明するためのフローチャートである。
【図１２】本発明の実施形態における気象情報を表示した地図の表示処理を説明するためのフローチャートである。
【符号の説明】
【００６１】
１  ナビゲーション装置
１１  制御回路
１１ａ  タイマ
１３  ＲＡＭ
１５  画像メモリ
１６  表示モニタ
１８  入力装置
１９  タッチパネル
１１０  タッチパネルコントロール部
１１１  衛星ラジオ受信部
１１２  受信メモリ
【図１】
2008185614.tif 000003
【図２】
2008185614.tif 000004
【図３】
2008185614.tif 000005
【図４】
2008185614.tif 000006
【図５】
2008185614.tif 000007
【図６】
2008185614.tif 000008
【図７】
2008185614.tif 000009
【図８】
2008185614.tif 000010
【図９】
2008185614.tif 000011
【図１０】
2008185614.tif 000012
【図１１】
2008185614.tif 000013
【図１２】
2008185614.tif 000014